(57)【要約】【課題】プレストレストコンクリート構造物の定着部において、ＰＣ鋼撚り線が挿通されたブッシュを強固に嵌着するアンカーディスク及びブッシュを提供する。【解決手段】プレストレストコンクリートの定着部において、アンカーディスクに貫設された複数のＰＣ鋼撚り線挿通孔に途中深度まで拡大してブッシュ嵌挿穴が穿孔され、前記ブッシュ嵌挿穴に、外周面に凹凸部を形設した合成樹脂製ブッシュを嵌挿する。【選択図】    図１
2004339800.tif 000002
【特許請求の範囲】
【請求項１】
プレストレストコンクリートの定着部のアンカーディスクにおいて、
同アンカーディスクに貫設された複数のＰＣ鋼撚り線挿通孔の途中深度まで拡大して穿孔されたブッシュ嵌挿穴に、外周面に凹凸部を形設した合成樹脂製ブッシュを嵌挿してなることを特徴とするプレストレストコンクリートの定着部のアンカーディスク。
【請求項２】
合成樹脂製ブッシュの外周面に形設した凹凸部が、ブッシュの外周面に多数の突条が環状に突設されてなるものであることを特徴とする請求項１記載のプレストレストコンクリートの定着部のアンカーディスク。
【請求項３】
合成樹脂製ブッシュの外周面に形設した凹凸部が、ブッシュの外周面に螺旋状に突設された突条であることを特徴とする請求項１記載のプレストレストコンクリートの定着部のアンカーディスク。
【請求項４】
合成樹脂製ブッシュの外周面に形設した凹凸部が、ブッシュの外周面に形設されたローレット加工部であることを特徴とする請求項１記載のプレストレストコンクリートの定着部のアンカーディスク。
【請求項５】
プレストレストコンクリートの定着部のアンカーディスクにおいて、
同アンカーディスクに貫設された複数のＰＣ鋼撚り線挿通孔の途中深度まで拡大して穿孔されたブッシュ嵌挿穴の内周面に凹凸部を形設してなることを特徴とするプレストレストコンクリートの定着部のアンカーディスク。
【請求項６】
プレストレストコンクリートの定着部のアンカーディスクにおいて、同アンカーディスクに貫設された複数のＰＣ鋼撚り線挿通孔の途中深度まで拡大して穿孔されたブッシュ嵌挿穴の内周面に凹凸部を形設してなることを特徴とする請求項１〜４のいずれか１項に記載のプレストレストコンクリートの定着部のアンカーディスク。
【請求項７】
アンカーディスクのブッシュ嵌挿穴の内周面に形設された凹凸部が、ブッシュ挿通孔の内周面に環状に突設された多数の突条であることを特徴とする請求項５又は６に記載のプレストレストコンクリートの定着部のアンカーディスク。
【請求項８】
アンカーディスクのブッシュ嵌挿穴の内周面に形設された凹凸部が、ブッシュ挿通孔の内周面に螺旋状に突設された突条であることを特徴とする請求項５又は６に記載のプレストレストコンクリートの定着部のアンカーディスク。
【請求項９】
凹凸部が、サンドブラスト加工部であることを特徴とする請求項５又は６に記載のプレストレストコンクリートの定着部のアンカーディスク。
【請求項１０】
アンカーディスクが、鋼製であり、ブッシュが高密度ポリエチレン樹脂製であることを特徴とする請求項１〜９のいずれか１項に記載のプレストレストコンクリートの定着部のアンカーディスク。
【請求項１１】
アンカーディスクのブッシュ嵌挿穴の内周面とブッシュ表面との隙間の凹凸部に接着剤が充填されてなることを特徴とする請求項１〜１０のいずれか１項に記載のプレストレストコンクリートの定着部のアンカーディスク。
【請求項１２】
プレストレストコンクリートの定着部のアンカーディスクに貫設されたＰＣ鋼撚り線挿通孔の途中深度まで拡大して穿孔されたブッシュ嵌挿穴に嵌挿される請求項１〜１１のいずれか１項に記載の外周面に凹凸部を形設してなる合成樹脂製ブッシュ。
【発明の詳細な説明】
【０００１】
【発明の属する技術分野】本発明は、プレストレストコンクリート構造物におけるＰＣ鋼撚り線の定着部のアンカーディスク及びその嵌挿穴に嵌挿されるブッシュに関する。
【０００２】
【従来の技術及び発明が解決しようとする課題】一般的に、プレストレストコンクリート構造物を構築する際には、複数の緊張材（ＰＣ鋼撚り線）をコンクリート内に挿通し、前記緊張材に緊張を与え定着することによりプレストレストコンクリートを形成している。
その際、前記緊張材（ＰＣ鋼撚り線）の端部は、シースに挿通され、同シースはその一端がアンカープレートに配設される。
そして、シース内の複数の緊張材（ＰＣ鋼撚り線）は、緊張を与えられる際に、互いが接触し、破損したり、破断しないように緊張材挿通孔が穿設された、あるいは緊張材をはめ込む放射状の溝が凹設された鋼製のスペーサにそれぞれ挿通された後、アンカーディスクに嵌設された緊張材挿通孔に挿通され、くさびで挟持される。
また、近年、前記スペーサを使用せずに、ブッシュ（ｂｕｓｈ，ｂｕｓｈｉｎｎｇ）を用いたり、スペーサと併用してブッシュを用いる場合もあり、いずれも、緊張材の破損や破断を防止することを目的としている。
【０００３】
しかし、上記のように構築されるプレストレストコンクリート構造物の定着部において、緊張材が、スペーサあるいはブッシュに挿通された後にアンカーディスクに挿通される際に、ブッシュがアンカーディスクから抜けやすいという問題があり、非常に作業性が悪かった。
【０００４】
【課題を解決するための手段】本発明は、上記課題の解決を目的とするものであって、下記構成のプレストレストコンクリートの定着部のアンカーディスクである。
（１）プレストレストコンクリートの定着部のアンカーディスクにおいて、同アンカーディスクに貫設された複数のＰＣ鋼撚り線挿通孔の途中深度まで拡大して穿孔されたブッシュ嵌挿穴に、外周面に凹凸部を形設した合成樹脂製ブッシュを嵌挿してなることを特徴とするプレストレストコンクリートの定着部のアンカーディスク。
（２）合成樹脂製ブッシュの外周面に形設した凹凸部が、ブッシュの外周面に多数の突条が環状に突設されてなるものであることを特徴とする前項（１）記載のプレストレストコンクリートの定着部のアンカーディスク。
（３）合成樹脂製ブッシュの外周面に形設した凹凸部が、ブッシュの外周面に螺旋状に突設された突条であることを特徴とする前項（１）記載のプレストレストコンクリートの定着部のアンカーディスク。
（４）合成樹脂製ブッシュの外周面に形設した凹凸部が、ブッシュの外周面に形設されたローレット加工部であることを特徴とする前項（１）記載のプレストレストコンクリートの定着部のアンカーディスク。
【０００５】
（５）プレストレストコンクリートの定着部のアンカーディスクにおいて、同アンカーディスクに貫設された複数のＰＣ鋼撚り線挿通孔の途中深度まで拡大して穿孔されたブッシュ嵌挿穴の内周面に凹凸部を形設してなることを特徴とするプレストレストコンクリートの定着部のアンカーディスク。
（６）プレストレストコンクリートの定着部のアンカーディスクにおいて、同アンカーディスクに貫設された複数のＰＣ鋼撚り線挿通孔の途中深度まで拡大して穿孔されたブッシュ嵌挿穴の内周面に凹凸部を形設してなることを特徴とする前項（１）〜（４）のいずれか１項に記載のプレストレストコンクリートの定着部のアンカーディスク。
（７）アンカーディスクのブッシュ嵌挿穴の内周面に形設された凹凸部が、ブッシュ挿通孔の内周面に環状に突設された多数の突条であることを特徴とする前項（５）又は（６）に記載のプレストレストコンクリートの定着部のアンカーディスク。
（８）アンカーディスクのブッシュ嵌挿穴の内周面に形設された凹凸部が、ブッシュ挿通孔の内周面に螺旋状に突設された突条であることを特徴とする前項（５）又は（６）に記載のプレストレストコンクリートの定着部のアンカーディスク。
（９）凹凸部が、サンドブラスト加工部であることを特徴とする前項（５）又は（６）に記載のプレストレストコンクリートの定着部のアンカーディスク。
（１０）アンカーディスクが、鋼製であり、ブッシュが高密度ポリエチレン樹脂製であることを特徴とする前項（１）〜（９）のいずれか１項に記載のプレストレストコンクリートの定着部のアンカーディスク。
（１１）アンカーディスクのブッシュ嵌挿穴の内周面とブッシュ表面との隙間の凹凸部に接着剤が充填されてなることを特徴とする前項（１）〜（１０）のいずれか１項に記載のプレストレストコンクリートの定着部のアンカーディスク。
（１２）プレストレストコンクリートの定着部のアンカーディスクに貫設されたＰＣ鋼撚り線挿通孔の途中深度まで拡大して穿孔されたブッシュ嵌挿穴に嵌挿される前項（１）〜（１１）のいずれか１項に記載の外周面に凹凸部を形設してなる合成樹脂製ブッシュ。
【０００６】
【発明の実施の形態】本発明におけるプレストレストコンクリートの定着部のアンカーディスクは、アンカーディスクに貫設された複数のＰＣ鋼撚り線挿通孔の途中深度まで拡大して穿孔されたブッシュ嵌挿穴に、外周面に凹凸部を形設した合成樹脂製ブッシュを嵌挿して構成されるプレストレストコンクリートの定着部のアンカーディスクである。
ここで、外周面に凹凸部が形設される前記合成樹脂製ブッシュは、その外周面に多数の突条が環状に突設されたものである。
本発明におけるブッシュは、アンカーディスクに穿孔されたブッシュ嵌挿穴に、ブッシュを嵌挿した際に、強固に嵌装されるようその外周面に凹凸部を形成している。従って、本発明におけるブッシュの外周面に形成される凹凸部は、前記多数の突条が環状に突設されたものはもちろん、外周面の突条が螺旋状に突設されたものや、ブッシュの外周面に形成される凹凸部が、ローレット加工によるものなど、その凹凸部の形状は限定されるものではなく、アンカーディスクに穿孔されたブッシュ嵌挿穴に強固に嵌装される形状であればよい。
【０００７】
また、本発明におけるプレストレストコンクリート構造物の定着部のアンカーディスクは、同アンカーディスクに貫設された複数のＰＣ鋼撚り線挿通孔の途中深度まで拡大して穿孔されたブッシュ嵌挿穴の内周面に凹凸部を形設して構成される。
アンカーディスクのブッシュ嵌挿穴の内周面に形設された凹凸部は、同嵌挿穴に嵌設されるブッシュを強固に嵌装するものであり、その凹凸部の形状は、多数の突条を環状に突設したもの、あるいは螺旋状に突設された突条を形成したもの、サンドブラスト加工された凹凸部などが挙げられる。
さらに、本発明はブッシュ表面とアンカーディスクのブッシュ嵌挿穴の内周面の双方に凹凸部を形設することもできる。
そしてまた、ブッシュ表面とアンカーディスクのブッシュ嵌挿穴の内周面との間に接着剤を充填することも好ましい。特に、ブッシュ表面とアンカーディスクのブッシュ嵌挿穴の内周面の双方に凹凸部を形設したものにおいて、接着剤を充填した場合は、両者の接着が強力なものとなる。
接着剤としては、シアノアクリレート系接着剤やエポキシ系接着剤等を用いることができる。なお、接着剤にはシリカ粉末、炭酸カルシウム粉末等の充填剤を添加・混合してもよい。
さらにまた、本発明におけるアンカーディスクはＰＣ鋼撚り線を支持し、充分に緊張を与えることができるよう頑強に成型されるので、高強度の鋼製であることが好ましい。
一方、ブッシュは、ＰＣ鋼撚り線を破損・破断する恐れのないポリエチレン樹脂、その他ＦＲＰ、エンジニアリングプラスチックなどの合成樹脂材料で成型されるが、特に高密度ポリエチレン樹脂は、安価で耐久性、剛性に優れていて好ましい。
【０００８】
【実施例】本発明のプレストレストコンクリート構造物の定着部のアンカーディスクの実施例を図に基づいて説明する。
図１は本発明のプレストレストコンクリート構造物の定着部のアンカーディスクの実施例１の説明断面図、図２は本発明のプレストレストコンクリート構造物の定着部のアンカーディスクの実施例２の説明断面図、図３は本発明における実施例１のアンカーディスクの正面図とアンカーディスクとブッシュの断面説明図、図４は本発明における実施例２のアンカーディスクの正面図とアンカーディスクとブッシュの断面説明図、図５は本発明におけるブッシュの側面図及び断面図、図６は本発明におけるブッシュの説明用断面図、図７は本発明のプレストレストコンクリート構造物の定着部のアンカーディスクの実施例１の説明図、図８は本発明のプレストレストコンクリート構造物の定着部のアンカーディスクの実施例２の説明図である。
図中、１はＰＣ鋼撚り線、２はアンカーディスク、２ａはアンカーディスクに貫設されたブッシュ嵌挿穴、２ｂはブッシュ嵌挿穴の内周面の凹凸部、３はブッシュ、３ａはブッシュ外周面に形成された凹凸部、４はスペーサ、５はアンカープレート、６はシース、７はくさび、８はスパイラル筋、９は鋼管、２０はＰＣ鋼撚り線挿通孔、Ｃはコンクリート、Ｇはグラウトである。
【０００９】
本発明のプレストレストコンクリート構造物の定着部のアンカーディスクは、図１の実施例１の説明断面図及び図２の実施例２の説明断面図に示すように、本ＰＣ鋼撚り線１が挿通されるアンカーディスク２に貫設された複数のＰＣ鋼撚り線挿通孔２０の途中深度まで拡大して穿孔されたブッシュ嵌挿穴２ａに、外周面に凹凸部３ａが形設された合成樹脂製ブッシュ３を嵌挿して構成される。
前記アンカーディスク２は、実施例１においては、図３の本発明におけるアンカーディスクとブッシュの断面説明図に示すように複数のＰＣ鋼撚り線挿通孔２０が貫設されており、前記ＰＣ鋼撚り線挿通孔２０の端部に形成されたブッシュ嵌挿穴２ａは、ＰＣ鋼撚り線挿通孔２０の途中深度まで拡大して穿孔されている。
そして、実施例２においては、図４の本発明におけるアンカーディスクとブッシュの断面説明図に示すように複数のＰＣ鋼撚り線挿通孔２０が貫設され、前記ＰＣ鋼撚り線挿通孔２０の端部に形成されたブッシュ嵌挿穴２ａは、ＰＣ鋼撚り線挿通孔２０の途中深度まで拡大して穿孔され、かつ、前記ブッシュ嵌挿穴２ａは、その内周面に凹凸部２ｂが形成されており、図４においては、ブッシュ嵌挿穴２ａの内周面に形成される凹凸部２ｂは、環状に突設された多数の突条である。
なお、ブッシュ嵌挿穴２ａの内周面に形成される凹凸部２ｂは、螺旋状に突設された突条で形成したり、サンドブラスト加工により形成することもできる。
また、ブッシュ３においては、その外周面に凹凸部３ａが形設されており、凹凸部３ａは、図５に示す本発明におけるブッシュの側面図及び断面図のごとく、多数の突条がブッシュ３の外周面に環状３０に突設されて形成され（ａ）、あるいは、螺旋状３０’に突設された突条で形成（ｂ）したり、その他ローレット加工によって形成されてもよい。
【００１０】
図６は、本発明におけるブッシュの説明用断面図であり、合成樹脂製ブッシュ（高密度ポリエチレン樹脂製）の外周面に多数の突条が環状に突設されて形設されたものであるが、Ｌはブッシュ３の全長、Ｈはブッシュ３の外径、ｈはブッシュ３の内径、Ｔはブッシュ３の凹凸部３ａの高さである。
ブッシュ３の全長Ｌは、アンカーディスク２のブッシュ嵌挿穴２ａに嵌挿される長さなので、アンカーディスク２の大きさを考慮して形成することが好ましい。
また、ブッシュ３の外径Ｈ及び内径ｈは、同ブッシュ３に挿通されるＰＣ鋼撚り線１を確実に挿通し、保護できる大きさである。
そして、ブッシュ３の凹凸部３ａの高さＴは、アンカーディスク２のブッシュ嵌挿穴２ａに嵌挿された際に、容易に抜脱しない程度の高さを備えている。
上記図５、６に示されたブッシュ３は、好ましくは、Ｈがブッシュ嵌挿穴２ａの口径よりも若干大き目に製作され、ブッシュ３がブッシュ嵌挿穴２ａに打ち込まれた時に、Ｔ部の一部が圧縮変形されて圧接し、ブッシュ嵌挿穴２ａ内壁面に定着される。
ブッシュ３の形状の一実施例としては、
全長Ｌ＝２０、
外径Ｈ＝２６．２、
内径ｈ＝１９．３、
凹凸部３ａの高さＴ＝１
（各々の数値の単位はｍｍ）などが挙げられるが、ＰＣ鋼撚り線１の径やアンカーディスク２やスペーサ４の形状を考慮し、ブッシュ３をアンカーディスク２のブッシュ嵌挿穴２ａへ嵌挿した際に、充分にかつ確実に嵌着できる形状に形成されるのが好ましい。
上記において、特にＴは、Ｌ，Ｈ，ｈに関係なく、０．８〜１．２ｍｍが好ましい。
一方、実施例２におけるアンカーディスク２のブッシュ嵌挿穴２ａの内周面に形成される凹凸部２ｂに関しても同様に、確実にブッシュを嵌挿できるように、ブッシュ嵌挿穴２ａの形状は形成される。
【００１１】
図７は本発明のプレストレストコンクリート構造物の定着部のアンカーディスクの実施例１の説明図であり、コンクリートＣ内において、鋼管９に貫入されたＰＣ鋼撚り線１は、一端部がアンカープレート５に配設されたシース６内に挿通されており、シース内にはグラウトが充填され、前記シース６の外周には、スパイラル筋８が配設されている。そして、前記ＰＣ鋼撚り線１はスペーサ４に挿通され、同スペーサ４から突出した各ＰＣ鋼撚り線１はそれぞれブッシュ３が挿通されて構成されている。
なお、ブッシュ３の外周面には凹凸部３ａが形成されている。
そして、ブッシュ３に挿通されたＰＣ鋼撚り線１は、アンカーディスク２に貫設され、前記アンカーディスク２に貫設された複数のＰＣ鋼撚り線挿通孔２０には、途中深度まで拡大されてブッシュ嵌挿穴２ａが穿孔されており、同ブッシュ嵌挿穴２ａにはブッシュ３が嵌挿され、ＰＣ鋼撚り線１は、アンカーディスク２の端部で、くさび７により定着されている。
【００１２】
図８は本発明のプレストレストコンクリート構造物の定着部のアンカーディスクの実施例２の説明図であり、コンクリートＣ内において、鋼管９に貫入されたＰＣ鋼より線１は、一端部がアンカープレート５に配設されたシース６内に挿通されており、シース内にはグラウトが充填され、前記シース６の外周には、スパイラル筋８が配設されている。そして、前記ＰＣ鋼撚り線１はスペーサ４に挿通され、同スペーサ４から突出した各ＰＣ鋼撚り線１はそれぞれブッシュ３が挿通されて構成されている。
なお、ブッシュ３の外周面には凹凸部３ａが形成されている。
そして、ブッシュ３に挿通されたＰＣ鋼撚り線１は、アンカーディスク２に貫設され、前記アンカーディスク２に貫設された複数のＰＣ鋼撚り線挿通孔２０には、途中深度まで拡大されてブッシュ嵌挿穴２ａが穿孔されている。
【００１３】
また、前記ブッシュ嵌挿穴２ａにはブッシュ３が嵌挿されており、ＰＣ鋼撚り線１は、アンカーディスク２の端部で、くさび７により定着されている。
本実施例においては、アンカーディスク２のブッシュ嵌挿穴２ａの内周面には凹凸部２ｂが形成されており、ブッシュ３の外周面に形成された凹凸部３ａと強固に嵌合している。
本実施例２においては、アンカーディスクのブッシュ嵌挿穴２ａの内周面及びブッシュ３の外周面の両者にそれぞれ凹凸部２ｂ、３ａが形成されているが、実施例１のごとく、どちらか一方にのみ凹凸部を形成し嵌挿してもよい。
なお、アンカーディスク２のブッシュ嵌挿穴２ａにブッシュ３をさらに頑強に嵌合させるため、アンカーディスク２のブッシュ嵌挿穴２ａの内周面に形成された凹凸部２ｂ及びブッシュ３の外周面に形成された凹凸部３ａに接着剤等を充填しておくことが好ましい。
【００１４】
【発明の効果】本発明のプレストレストコンクリート構造物の定着部のアンカーディスクによれば、アンカーディスクに貫設された複数のＰＣ鋼撚り線挿通孔の途中深度まで拡大して穿孔されたブッシュ嵌挿穴に、外周面に凹凸部を形設した合成樹脂製ブッシュを嵌挿して構成されるので、アンカーディスクとＰＣ鋼撚り線が挿通されたブッシュを強固に嵌着させることができる。
そして、合成樹脂製ブッシュの外周面に形設される凹凸部は、多数の環状に突設された突条や、螺旋状に突設された突条、あるいはローレット加工によるものなど、任意の形状を選択して形設することができるので、使用する環境等によって、凹凸部の形状を選択することができる。
また、本発明のプレストレストコンクリート構造物の定着部のアンカーディスクによれば、アンカーディスクに貫設された複数のＰＣ鋼撚り線挿通孔の途中深度まで拡大して穿孔されたブッシュ嵌挿穴の内周面に凹凸部を形設して構成されるので、ブッシュ嵌挿穴に嵌挿されるブッシュを確実に嵌着することができ、作業性の向上を図ることができる。
そして、前記アンカーディスクのブッシュ嵌挿穴の内周面に形設される凹凸部を環状に突設された多数の突条、あるいは螺旋状に突設された突条、又はサンドブラスト加工等によって、形成することにより、ブッシュの外周面の形状や、設置環境に合わせ、適宜その形状を選択することができる。
【００１５】
さらに、アンカーディスクを鋼製により形成し、ブッシュを合成樹脂材、例えば、高密度ポリエチレン樹脂で形成することにより、ブッシュはＰＣ鋼撚り線の動きに柔軟に追随できるので、ＰＣ鋼撚り線を破損したり、破断したりすることなく、またアンカーディスクの端部によるＰＣ鋼撚り線の損傷も防ぐことができる。
なお、前記アンカーディスクの凹凸部及びブッシュの凹凸部に接着剤を充填することにより、さらに頑強にアンカーディスクとブッシュを嵌着することができる。
【図面の簡単な説明】
【図１】本発明のプレストレストコンクリート構造物の定着部のアンカーディスクの実施例１の説明断面図
【図２】本発明のプレストレストコンクリート構造物の定着部のアンカーディスクの実施例２の説明断面図
【図３】本発明における実施例１のアンカーディスクの正面図とアンカーディスクとブッシュの断面説明図
【図４】本発明における実施例２のアンカーディスクの正面図とアンカーディスクとブッシュの断面説明図
【図５】本発明におけるブッシュの側面図及び断面図
【図６】本発明におけるブッシュの説明用断面図
【図７】本発明のプレストレストコンクリート構造物の定着部のアンカーディスクの実施例１の説明図
【図８】本発明のプレストレストコンクリート構造物の定着部のアンカーディスクの実施例２の説明図
【符号の説明】
１    ＰＣ鋼撚り線
２    アンカーディスク
２ａ  アンカーディスクに貫設されたブッシュ嵌挿穴
２ｂ  ブッシュ嵌挿穴の内周面の凹凸部
３    ブッシュ
３ａ  ブッシュ外周面に形成された凹凸部
４    スペーサ
５    アンカープレート
６    シース
７    くさび
８    スパイラル筋
９    鋼管
２０  ＰＣ鋼撚り線挿通孔
３０  環状の突条部
３０’螺旋状の突条部
Ｃ    コンクリート
Ｇ    グラウト
Ｌ    ブッシュの全長
Ｈ    ブッシュの外径
ｈ    ブッシュの内径
Ｔ    ブッシュの凹凸部の高さ
【図１】
2004339800.tif 000003
【図２】
2004339800.tif 000004
【図３】
2004339800.tif 000005
【図４】
2004339800.tif 000006
【図５】
2004339800.tif 000007
【図６】
2004339800.tif 000008
【図７】
2004339800.tif 000009
【図８】
2004339800.tif 000010